(57)【要約】【課題】  作業効率が向上し、屋根材の廃材を削減することができる、屋根材及びその施工方法を提供する。【解決手段】  屋根材４０，５０は、少なくとも一対の互いに平行な辺４４，４８；５２，５６を有する。屋根材４０，５０は、屋根面１０において、それぞれの一対の辺４４，４８；５２，５６が屋根面１０の斜めに延在する境界線１６，１８と略平行に傾いた状態で、水平方向に列を揃えて配置される。屋根材４０，５０の重なりや角度を調整することにより、屋根面１０の境界線１２，１４，１６，１８に沿って配置される屋根材の形状が規則的な形状となるようにすることができる。【選択図】図１
2006002410.tif 000002
【特許請求の範囲】
【請求項１】
少なくとも一対の互いに平行な辺を有し、
屋根面において、それぞれの前記一対の辺が前記屋根面の斜めに延在する境界線と略平行に傾いた状態で、水平方向に列を揃えて配置されることを特徴とする、屋根材。
【請求項２】
前記屋根材は、２対の互いに平行な辺を有する矩形形状であることを特徴とする、請求項１に記載の屋根材。
【請求項３】
互いに平行な一対の長辺と互いに平行な一対の短辺とを有する略長方形形状の第１の屋根材と、
互いに平行な一対の長辺と互いに平行な一対の短辺とを有する略長方形形状の第２の屋根材とを含む屋根材セットであって、
屋根面において、
前記第１の屋根材は、それぞれの前記長辺が前記屋根面の斜めに延在する境界線と略平行に傾いた状態で、隣接する前記第１の屋根材の前記長辺の近傍部分が重なるようにして、水平方向に列を揃えて配置され、
前記第２の屋根材は、前記第１の屋根材の前記列に隣接し、それぞれの前記長辺が前記第１の屋根材の前記短辺と略平行に傾いた状態で、隣接する前記第２の屋根材の前記長辺の近傍部分が重なるようにして、水平方向に列を揃えて配置され、
前記第１の屋根材の列と前記第２の屋根材の列とが交互に配置されることを特徴とする、屋根材セット。
【請求項４】
屋根面に、少なくとも一対の互いに平行な辺を有する屋根材を、それぞれの前記一対の辺が前記屋根面の斜めに延在する境界線と略平行に傾いた状態で、水平方向に列を揃えて配置する第１の工程と、
前記屋根面において前記屋根材が配置される部分以外の空白部分に、前記屋根材のｍ／ｎ倍（ｍは１以上の整数、ｎは２以上の整数）の形状の他の屋根材を配置する第２の工程とを含む、屋根材の施工方法。
【請求項５】
前記屋根材は、２対の互いに平行な辺を有する矩形形状であることを特徴とする、請求項４に記載の屋根材の施工方法。
【請求項６】
互いに平行な一対の長辺と互いに平行な一対の短辺とを有する略長方形形状の第１の屋根材を、それぞれの前記長辺が前記屋根面の斜めに延在する境界線と略平行に傾いた状態で、隣接する前記第１の屋根材の前記長辺の近傍部分が重なるようにして、水平方向に列を揃えて配置する第１の工程と、
互いに平行な一対の長辺と互いに平行な一対の短辺とを有する略長方形形状の第２の屋根材を、それぞれの前記長辺を前記第１の屋根材の前記短辺と略平行に傾いた状態で、隣接する前記第２の屋根材の前記長辺の近傍部分が重なるようにして、水平方向に列を揃えて配置する第２の工程と、
前記屋根面において前記第１の屋根材及び前記第２の屋根材が配置される部分以外の空白部分に、前記第１の屋根材又は前記第２の屋根材のｍ／ｎ倍（ｍは１以上の整数、ｎは２以上の整数）の形状の他の屋根材を配置する第３の工程とを含む、屋根材の施工方法。
【発明の詳細な説明】
【技術分野】
【０００１】
本発明は、屋根面に配置する瓦その他の屋根材及びその施工方法に関する。
【背景技術】
【０００２】
従来、図６に示したように、建築物の屋根２には、瓦などの矩形の屋根材６が棟３と軒５ａ，５ｂ，５ｃ，５ｄとの間に、一般に格子状や千鳥状に配置されている。このとき、矩形の屋根材６は、それぞれの辺が、大略、水平又は垂直となる状態で配置されるため、斜めに延在する隅棟４ａ，４ｂ，４ｃ，４ｄに沿って配置されるものは、隅棟４ａ，４ｂ，４ｃ，４ｄに合わせて不規則な形状に切断されていた。なお、図６では、屋根面２ａ，２ｂについてのみ屋根材６を図示し、屋根面２ｃ，２ｄについては図示を省略している（例えば、特許文献１、２参照）。
【特許文献１】特開２００３−１２７０９２号公報（図３）
【特許文献２】特開２００３−３０１５６３号公報（図６）
【発明の開示】
【発明が解決しようとする課題】
【０００３】
屋根の形状に合わせて屋根材ごとに異なる不規則な形状に切断する作業は、時間がかかる。また、屋根材は切断後に屋根面に配置する位置が特定されるため、切断した屋根材と配置位置とを対応付けて管理する必要がある。そのため、作業が煩雑になり効率が悪い。
【０００４】
さらに、環境負担をできるだけ少なくするため、屋根材を切断するときに発生する廃材を削減することが望まれている。しかし、屋根材の割付をどのように工夫したとしても、廃材の削減には限界がある。
【０００５】
本発明は、かかる実情に鑑み、作業効率が向上し、屋根材の廃材を削減することができる、屋根材及びその施工方法を提供しようとするものである。
【課題を解決するための手段】
【０００６】
本発明は、上記課題を解決するために、以下のように構成した屋根材を提供する。
【０００７】
屋根材は、少なくとも一対の互いに平行な辺を有する。屋根材は、屋根面において、それぞれの前記一対の辺が前記屋根面の斜めに延在する境界線と略平行に傾いた状態で、水平方向に列を揃えて配置される。
【０００８】
上記構成において、水平方向に列を揃えた屋根材は、例えば、列同士がかみ合うように配置する。あるいは、列同士がかみ合うことなく隣接するように配置する。各列において、屋根材の間が離れていても、屋根材が接近し、辺が接したり辺近傍部分が重なったりしもよい。
【０００９】
上記構成において、それぞれの一対の辺が傾いた状態で水平方向に列を揃えて配置される屋根材について、隣接する屋根材の重なりの程度を調整し、適宜な間隔で配置することにより、整数枚の屋根材を水平方向に屋根面の一方の端から他方の端まで配置することができる。
【００１０】
この場合、水平方向に列を揃えて配置される屋根材だけでは、隅棟、谷、棟、軒、けらば等の屋根面の境界線に沿って、場合によっては上記屋根材の列の間に、屋根面において上記屋根材が配置されない空白部分が形成されることがある。上記屋根材を水平方向及び垂直方向に適宜なピッチで配置すると、空白部分が、大略、屋根材のｍ／ｎ倍（ｍは１以上の整数、ｎは２以上の整数）の規則的な形状となり、不規則な形状にならないようにすることができる。
【００１１】
このような空白部分に、空白部分の形状に対応して、屋根材のｍ／ｎ倍の形状を有する別の屋根材を配置すれば、屋根材を切断しなくてもよいので、屋根材の廃材は生じない。
【００１２】
あるいは、水平方向に列を揃えて配置される屋根材と同じものを、空白部分の形状に対応してｍ／ｎ倍の形状に切断し、空白部分に配置すれば、切断して残った部材を他の空白部分に用いるなどして、屋根材の廃材がほとんど生じないようにすることができる。
【００１３】
上記構成によれば、一対の互いに平行な辺を有する屋根材を用いることにより、屋根面に配置する屋根材の枚数が減り、施工作業を効率的に行うことができる。すなわち、空白部分の最小要素の略三角形の形状を基準とし、この最小要素の整数倍の形状となるように分割した屋根材は、一対の互いに平行な辺を有しないが、水平方向に列を揃えて配置されるようにすることは、可能である。しかし、このように分割した屋根材を用いると、分割しない場合に比べ、屋根面に配置する部材数が増えるため、施工作業の効率が低下する。
【００１４】
好ましくは、前記屋根材は、２対の互いに平行な辺を有する矩形形状である。
【００１５】
上記構成によれば、屋根材を水平方向に列を揃えて配置したとき、各列において屋根材の辺の近傍部分が重なるようにして屋根材を詰めて配置すると、各列の上下はジグザクになる。このジグザグがかみ合うように列を配置すれば、屋根面の大部分の領域に矩形形状の屋根材を配置することができる。
【００１６】
また、屋根材を水平方向に列を揃えて配置するとき、各列において屋根材間に間隔を設け、その間に隣接する列の屋根材を配置し、上下の列がかみ合うようにすれば、屋根面の大部分の領域に矩形形状の屋根材を配置することができる。
【００１７】
また、本発明は、以下のように構成した屋根材セットを提供する。
【００１８】
屋根材セットは、互いに平行な一対の長辺と互いに平行な一対の短辺とを有する略長方形形状の第１の屋根材と、互いに平行な一対の長辺と互いに平行な一対の短辺とを有する略長方形形状の第２の屋根材とを含む。屋根面において、前記第１の屋根材は、それぞれの前記長辺が前記屋根面の斜めに延在する境界線と略平行に傾いた状態で、隣接する前記第１の屋根材の前記長辺の近傍部分が重なるようにして、水平方向に列を揃えて配置され、前記第２の屋根材は、前記第１の屋根材の前記列に隣接し、それぞれの前記長辺が前記第１の屋根材の前記短辺と略平行に傾いた状態で、隣接する前記第２の屋根材の前記長辺の近傍部分が重なるようにして、水平方向に列を揃えて配置され、前記第１の屋根材の列と前記第２の屋根材の列とが交互に配置される。
【００１９】
上記構成において、第１の屋根材と第２の屋根材とは、同一の部材であっても、異なる部材であってもよい。屋根面に他の隅棟がある場合、第１の屋根材の短辺及び第２の屋根材の長辺は、この他の隅棟と略平行に配置する。
【００２０】
第１の屋根材及び第２の屋根材は略長方形の簡単な形状であるので、製造、輸送、施工の際に取り扱いが容易であり、効率よく作業を行うことができる。
【００２１】
また、本発明は、以下のように構成した屋根材の施工方法を提供する。
【００２２】
屋根材の施工方法は、第１の工程と第２の工程とを含む。前記第１の工程において、屋根面に、少なくとも一対の互いに平行な辺を有する屋根材を、それぞれの前記一対の辺が前記屋根面の斜めに延在する境界線と略平行に傾いた状態で、水平方向に列を揃えて配置する。前記第２の工程において、前記屋根面において前記屋根材が配置される部分以外の空白部分に、前記屋根材のｍ／ｎ倍（ｍは１以上の整数、ｎは２以上の整数）の形状の他の屋根材を配置する。
【００２３】
上記方法において、第１の工程と第２の工程との順序は不問であり、順序が入れ替わっても、第１の工程の第２の工程とを同時に並行して行ってもよい。
【００２４】
また、第２の工程において、屋根材とは別に形成した他の屋根材を用いても、屋根材を切断して形成した他の部材を用いてもよい。
【００２５】
上記方法によれば、屋根材を不規則な形状に切断しなくてもよいように、屋根材を配置することができる。また、一対の互いに平行な辺を有する屋根材を用いることにより、施工する屋根材の枚数を減らすことができる。
【００２６】
好ましくは、前記屋根材は、２対の互いに平行な辺を有する矩形形状である。
【００２７】
屋根材を水平方向に列を揃えて配置するとき、各列において屋根材を詰めて配置すると、上下はジグザクになる。このジグザグがかみ合うようにすれば、屋根面の大部分の領域に矩形形状の屋根材を配置することができる。
【００２８】
また、屋根材を水平方向に列を揃えて配置するとき、各列において屋根材間に間隔を設け、その間に隣接する列の屋根材を配置し、上下の列がかみ合うようにすれば、屋根面の大部分の領域に矩形形状の屋根材を配置することができる。
【００２９】
また、本発明は、以下のように構成した屋根材の施工方法を提供する。
【００３０】
屋根材の施工方法は、第１乃至第３の工程を含む。前記第１の工程において、互いに平行な一対の長辺と互いに平行な一対の短辺とを有する略長方形形状の第１の屋根材を、それぞれの前記長辺が前記屋根面の斜めに延在する境界線と略平行に傾いた状態で、隣接する前記第１の屋根材の前記長辺の近傍部分が重なるようにして、水平方向に列を揃えて配置する。前記第２の工程において、互いに平行な一対の長辺と互いに平行な一対の短辺とを有する略長方形形状の第２の屋根材を、それぞれの前記長辺を前記第１の屋根材の前記短辺と略平行に傾いた状態で、隣接する前記第２の屋根材の前記長辺の近傍部分が重なるようにして、水平方向に列を揃えて配置する。前記第３の工程において、前記屋根面において前記第１の屋根材及び前記第２の屋根材が配置される部分以外の空白部分に、前記第１の屋根材又は前記第２の屋根材のｍ／ｎ倍（ｍは１以上の整数、ｎは２以上の整数）の形状の他の屋根材を配置する。
【００３１】
上記方法において、第１乃至第３の工程の順序は不問であり、順序が入れ替わっても、２以上の工程を同時に並行して行ってもよい。また、第１の屋根材と第２の屋根材とは、同一の部材であっても、異なる部材であってもよい。
【００３２】
上記方法によれば、屋根材を不規則な形状に切断しないので、廃材を減らすことができる。また、第１の屋根材及び第２の屋根材は略長方形の簡単な形状であるので、製造、輸送、施工の際に取り扱いが容易であり、効率よく作業を行うことができる。
【発明の効果】
【００３３】
本発明の屋根材及びその施工方法によれば、作業効率が向上し、屋根材の廃材を削減することができる。
【発明を実施するための最良の形態】
【００３４】
以下、本発明の実施の形態として実施例を、図１〜図５を参照しながら説明する。
【００３５】
まず、第１実施例について、図１〜図３を参照しながら、説明する。
【００３６】
図１の屋根伏図（屋根面に対して垂直方向から見た図）に示すように、屋根面１０は、棟１２及び軒１４が水平であり、隅棟１６，１８は斜めに傾き、台形形状である。隅棟１６，１８は水平線に対して略４５°傾いている。一般的な建築物の屋根の４．５寸勾配〜６寸勾配では、水平から４７〜５０°程度の傾きとなる。
【００３７】
屋根面１０の大部分の領域には、縦横比が略１：２の略長方形の屋根材４０，５０が配置される。屋根材４０，５０は、互いに平行な一対の長辺４４，４８；５２，５６と、互いに平行な他の一対の短辺４２，４６；５４，５８とを有する。屋根材４０，５０は、大略、板状であり、図示していないが、屋根面１０への取り付け用の穴や突起、重なり部分の凹凸、雨水が流れるようにする溝などが形成されている。屋根材４０，５０は、略同じ大きさであり、同一部材であっても、別部材であってもよい。
【００３８】
屋根材４０は、長辺４４，４８が隅棟１６と平行になるように傾けた状態で水平方向に一列に並べる。すなわち、一列の屋根材４０の対応する各点は、略水平に一列に揃える。隣接する屋根材４０の長辺４４，４８の近傍部分は、重ね合わせるようにする。屋根材４０の列は、水平方向の間隔（長辺４４，４８の重なり寸法）や屋根材４０の傾き角度を調整することにより、最も隅棟１８側の屋根材４０の短辺４６が隅棟１８に一致するように配置する。
【００３９】
屋根材５０は、長辺５２，５６が隅棟１８と平行になるように傾けた状態で水平方向に一列に並べる。すなわち、一列の屋根材５０の対応する各点は、略水平に一列に揃える。隣接する屋根材５０の長辺５２，５６の近傍部分は、重ね合わせるようにする。屋根材５０の列は、水平方向の間隔（長辺５２，５６の重なり寸法）や屋根材５０の傾き角度を調整することにより、最も隅棟１６側の屋根材５０の短辺５４が隅棟１６に一致するように配置する。
【００４０】
水平方向に列を揃えて配置した屋根材４０，５０の各列は、上下がＶ字状に折れ曲がってジグザグ形状になる。このジグザグがかみ合うようにして、屋根材４０の列と屋根材５０の列とを交互に配置する。このとき、上側の列の下部のジグザグ部分と、下側の列の上部のジグザグ部分とが、重なり合うようにする。上下の列のジグザグ部分の重なりを調整することにより、屋根材４０，５０の一番上の列が棟２に接し、屋根材４０，５０の一番下の列が軒１４に接するように、屋根材４０，５０を配置することができる。
【００４１】
このとき、棟１２、軒１４及び隅棟１６，１８に沿って、屋根材４０，５０が配置されない空白部分が生じる。空白部分には、屋根材２０，３０ａ，３０ｂ，６０を配置する。
【００４２】
棟１２及び軒１４に沿って形成される空白部分は、略直角２等辺三角形となる。この部分には、略直角２等辺三角形の屋根材２０，６０を配置する。
【００４３】
棟１２に沿って配置する屋根材６０は、斜辺６４が棟１２に一致し、略直角を挟む２辺６２，６６の近傍部分は、一番上の列の屋根材５０のジグザグ部分に上から重なる。
【００４４】
軒１４に沿って配置する屋根材２０は、斜辺２６が軒１４に一致し、略直角を挟む２辺２２，２４の近傍部分には、一番下の列の屋根材４０のジグザグ部分が上から重なる。
【００４５】
屋根材２０，６０は、屋根材４０，５０の略１／４の大きさである。屋根材２０，６０は、別部材であっても、同一部材であってもよい。
【００４６】
隅棟１６，１８に沿って形成される空白部分には、略正方形の屋根材３０を配置する。
【００４７】
隅棟１６に沿って配置する屋根材３０ａは、左上の辺３４ａが隅棟１６に一致し、右上の辺３６ａの近傍部分には、その上の列の屋根材５０のジグザグ部分が上から重なる。下側の辺３２ａ，３８ａの近傍部分は、その下の列の屋根材４０のジグザグ部分の上に重なる。
【００４８】
隅棟１８に沿って配置する屋根材３０ｂは、右上の辺３６ｂが隅棟１８に一致し、左上の辺３４ｂの近傍部分には、その上の列の屋根材５０のジグザグ部分が上から重なる。下側の辺３２ｂ，３８ｂの近傍部分は、その下の列の屋根材５０のジグザグ部分に上から重なる。
【００４９】
なお、屋根材の配置パターンによっては、最も上又は最も下の屋根材３０ａ，３０ｂが屋根材２０，６０のジグザグ部分に重なる。
【００５０】
屋根材３０ａ，３０ｂは、別部材であっても、同一部材であってもよい。
【００５１】
以上のようにして、略長方形の屋根材４０，５０と、略正方形の屋根材３０ａ，３０ｂと、略直角二等辺三角形の屋根材２０，６０とを用いて、屋根１０の全面を覆うことができる。
【００５２】
略正方形の屋根材３０は、略長方形の屋根材４０，５０を切断することにより形成してもよい。略直角二等辺三角形の屋根材２０，６０は、略正方形の屋根材３０又は略長方形の屋根材４０，５０を切断することにより形成してもよい。
【００５３】
逆に、屋根材４０，５０の代わりに、２枚の屋根材３０を組み合わせて用いることも可能である。
【００５４】
棟１２と軒１４との間の距離や、棟１６，１８の間隔や角度が変わっても、屋根材２０，３０ａ，３０ｂ，４０，５０，６０の重なりや傾きを適宜に調整して、屋根材２０，３０ａ，３０ｂ，４０，５０，６０だけで屋根面１０全体を覆うことができる。
【００５５】
図３に示すように、隅棟１６，１８と軒１２とがなす角α，βが４５度でない場合、例えば次式（１），（２）により、
α<θ１<θ２<θ３<・・・<θｎ<９０°−β  ・・・（１）
又は、
α>θ１>θ２>θ３>・・・>θｎ>９０°−β  ・・・（２）
と示されるのように、θ１、θ２、θ３、・・・、θｎをα，βに対して次第に大きく、又は小さする。
【００５６】
次に、施工方法の一例について、説明する。
【００５７】
まず、軒２０に略直角二等辺三角形の屋根材２０を配置する。このとき、図２に示したように、屋根材２０の重なりＴを調節することにより、軒２０に沿って、整数枚の屋根材２０を配置する。
【００５８】
次に、右側の隅棟１８に沿って、屋根材３０ｂを、屋根材２０の上に、少し重なるようにして配置する。すなわち、図２に示すように、屋根材３０ｂの下側の辺３２，３８の近傍部分が、屋根材２０の辺２２，２４とを覆うようにする。
【００５９】
次に、屋根材３０ｂの左隣に、屋根材４０を、屋根材２０，３０ｂに少し重なるようにして配置する。すなわち、図２に示すように、屋根材４０の辺４２，４８の近傍部分が、屋根材２０の辺２２，２４や屋根材３０ｂの辺３４を覆うようにする。以後、同様にして、左側の隅棟１６まで順に、屋根材４０を、隣接する屋根材２０，４０に少し重なるようにして配置する。
【００６０】
次に、図１に示すように、左側の隅棟１６に沿って屋根材３０ａを同様に配置した後、右側に、屋根材５０を順に配置する。以後、屋根材４０，５０を、水平方向に列を揃えて交互に配置する。
【００６１】
一番上の列の屋根材５０を配置した後、屋根材６０を棟１２に沿って配置する。
【００６２】
次に、第２実施例について、図４の屋根伏せ図を参照しながら説明する。第２実施例は、第１実施例と略同様であり、同様の構成部分には同じ符号を用い、以下では相違点を中心に説明する。
【００６３】
屋根面１１には、第１実施例と略同様に、逆方向に傾けた屋根材４０，５０の列を上下に交互に配置し、棟１３及び軒１５に沿って、略直角二等辺三角形の屋根材６０を配置する。また、谷１７に沿って、略正方形の屋根材３０を配置する。
【００６４】
第１実施例と異なり、けらば１９に沿って、屋根材４０，５０が配置されない略三角形の空白部分が形成される。
【００６５】
この空白部分には、屋根材４０，５０の半分の大きさの略正方形の屋根材３０と、この屋根材３０の半分の大きさの略直角二等辺三角形の屋根材６０と、この屋根材６０の半分の大きさの略直角二等辺三角形の屋根材９０とを配置する。
【００６６】
つまり、略長方形の屋根材４０，６０と、略正方形の屋根材３０と、略直角二等辺三角形の屋根材６０，９０とを用いれば、屋根面１１の前面を屋根材で覆うことができる。
【００６７】
なお、略直角二等辺三角形の屋根材９０は、例えば屋根材６０を２つに切断して形成してもよい。
【００６８】
次に、第３実施例について、図５を参照しながら説明する。
【００６９】
屋根面１１０の大部分の領域には、略正方形の大きな屋根材１２０（以下、「大サイズ屋根材１２０」とも言う。）が配置される。大サイズ屋根材１２０は、対向する一対の辺１２２，１２６が谷１１８と平行になるように、略４５度傾け、水平方向に間隔を設け、列を揃えて配置される。列の間に、同様に、水平方向に間隔を設け、列を揃えて配置されるた次の列の大サイズ屋根材１２０が、かみ合うように配置されている。この繰り返しにより、屋根面１１０の大部分の領域には、大サイズ屋根材１２０が配置される。大サイズ屋根材１２０を用いることにより、屋根材の施工枚数を減らし、作業効率を向上することができる。
【００７０】
ただし、大サイズ屋根材１２０の列の間には、大サイズ屋根材１２０が配置されない小さい略正方形の空白部分が形成される。この空白部分には、略正方形の小さい屋根材１４０（以下、「小サイズ屋根材１４０」とも言う。）が配置される。小サイズ屋根材１４０は、大サイズ屋根材１２０の各辺１２２，１２４，１２６，１２８の略半分の長さの辺１４２，１４４，１４６，１４８を有し、面積は、大サイズ屋根材１２０の略１／４となる。
【００７１】
大サイズ屋根材１２０を適宜なピッチで配置すると、棟１１２や軒１１４、けらば１１６に沿って、略直角二等辺三角形の空白部分が形成される。この空白部分には、大サイズ屋根材１２０又は小サイズ屋根材１４０の半分の大きさの屋根材１３０，１５０を配置する。屋根材１３０，１５０は、大サイズ屋根材１２０又は小サイズ屋根材１４０を対角線で切断することにより形成しても、大サイズ屋根材１２０又は小サイズ屋根材１４０とは別に形成してもよい。
【００７２】
また、大サイズ屋根材１２０は、棟１１２や軒１１４、けらば１１６、谷１１８に沿って切断されるものがある。この場合、大サイズ屋根材１２０を適宜なピッチで配置すると、大サイズ屋根材１２０の切断形状が、屋根材１３０，１５０を組み合わせた規則的な形状となるようにすることができる。これにより、大サイズ屋根材１２０を切断した残片を屋根材１３０，１５０として用いることにより、あるいは逆に、切断して配置すべき大サイズ屋根材１２０の部分に屋根材１３０，１５０を配置することにより、廃材を減らし、切断作業の効率を向上することができる。
【００７３】
以上に説明したように、屋根材の一対の互いに平行な辺を、屋根面の傾いた境界線（隅棟又は谷）と略平行に傾け、水平方向に列を揃えて配置し、屋根材の重なりや角度を調整することにより、屋根面の境界線（棟、軒、隅棟、ければなど）に沿って配置される屋根材の形状が規則的な形状（主な屋根材のｍ／ｎ倍（ｍは１以上の整数、ｎは２以上の整数）の形状）となるようにすることができる。これよって、作業効率が向上し、廃材を削減することができる。
【００７４】
なお、本発明は、上記した実施の形態に限定されるものではなく、種々変更を加えて実施可能である。
【００７５】
例えば、互いに平行な第１対の辺と第２対の辺とを有し、屋根面において、前記第１対の辺が水平方向（棟又は軒に平行）に延在し、第２対の辺が斜めの境界線（隅棟又は谷）と略平行に傾いた状態で、水平方向に列を揃えて配置される、平行四辺形形状の屋根材であってもよい。
【００７６】
屋根材の寸法は、適宜に選択することができる。詳細構造、例えば、隣接する屋根材との重なり部分、屋根面への取り付け部分、雨水の回り込みの防止用の溝などは、適宜に付加すればよい。
【００７７】
本発明は、瓦に限らず、種々の屋根材（例えば、下地材）に適用することができ、屋根材を兼用したソーラーパネルなどにも適用可能である。
【図面の簡単な説明】
【００７８】
【図１】屋根材の配置パターンを示す屋根伏図である。（実施例１）
【図２】屋根材の配置方法の説明図である。（実施例１）
【図３】屋根材の配置方法の説明図である。（実施例１）
【図４】屋根材の配置パターンを示す屋根伏図である。（実施例２）
【図５】屋根材の配置パターンを示す屋根伏図である。（実施例３）
【図６】屋根材の配置パターンを示す屋根の外観図である。（従来例）
【符号の説明】
【００７９】
１０，１１  屋根面
１２，１３  棟
１４，１５  軒
１６  隅棟（斜めの境界線）
１７  谷（斜めの境界線）
１８  隅棟（斜めの境界線）
１９  けらば
２０  屋根材（他の屋根材）
３０  屋根材（他の屋根材）
４０  屋根材（第１の屋根材）
４２  短辺
４４  長辺（少なくとも一対の辺）
４６  短辺
４８  長辺（少なくとも一対の辺）
５０  屋根材（第２の屋根材）
５２  長辺（少なくとも一対の辺）
５４  短辺
５６  長辺（少なくとも一対の辺）
５８  短辺
６０  屋根材（他の屋根材）
９０  屋根材（他の屋根材）
１１０  屋根面
１１２  棟
１１４  軒
１１６  けらば
１１８  谷（斜めの境界線）
１２０  大サイズ屋根材
１３０  屋根材（他の屋根材）
１４０  小サイズ屋根材
１５０  屋根材（他の屋根材）
【図１】
2006002410.tif 000003
【図２】
2006002410.tif 000004
【図３】
2006002410.tif 000005
【図４】
2006002410.tif 000006
【図５】
2006002410.tif 000007
【図６】
2006002410.tif 000008